(57)【要約】【課題】光アドレッシングによる表示パネルの制御を行う表示装置において、表示領域に対応して表示パネルを正確に制御でき、かつ正確な光量で表示可能な表示装置を提供すること。【解決手段】表示パネル１１０と、制御光用光学系１２０と、制御光Ｌが表示パネル１１０の表示領域ＡＲ２内を走査していることを検知する走査位置検知部１３２、１３４と、各画素における制御光Ｌの走査速度を算出する走査速度演算部を備える制御部１３０と、を有し、制御部１３０は、走査位置検知部１３２、１３４からの検知結果に基づいて、制御光Ｌが表示領域ＡＲ２内を走査しているときにのみ、画像信号に応じて制御光用光学系１２０を制御し、さらに、制御部１３０は、所定の画素について所望の階調レベルとなるように、画像信号に応じて変調されている制御光Ｌの光量を、算出された走査速度に基づいて補正する。【選択図】      図３
2005181831.tif 000002
【特許請求の範囲】
【請求項１】
制御光の光量に応じて電気的な導電率が変化する導電率可変層を備え、複数の画素ごとに前記導電率に応じた電流又は電圧が印加されることによって画像を表示する表示パネルと、
前記表示パネルに電流又は電圧を印加するための電源と、
前記表示パネルの表示領域より大きい走査領域に前記制御光を走査することにより、前記表示パネルに前記制御光を供給する制御光用光学系と、
前記制御光が前記表示パネルの前記表示領域内を走査していることを検知する走査位置検知部と、
前記走査位置検知部からの検知結果に基づいて、前記各画素における前記制御光の走査速度を算出する走査速度演算部と、
画像信号に応じて前記制御光の光量を変調するように前記制御光用光学系を制御する制御部と、を有し、
前記制御部は、前記走査位置検知部からの前記検知結果に基づいて、前記制御光が前記表示領域内を走査しているときにのみ、前記画像信号に応じて前記制御光用光学系を制御し、
さらに、前記制御部は、所定の前記画素について所望の階調レベルとなるように、前記画像信号に応じて変調されている前記制御光の光量を、算出された前記走査速度に基づいて補正することを特徴とする表示装置。
【請求項２】
前記表示パネルは、前記導電率に応じた電流によって発光するエレクトロ・ルミネッセンス層を有することを特徴とする請求項１に記載の表示装置。
【請求項３】
照明光を供給する照明光用光源を有し、
前記表示パネルは、前記導電率に応じた電圧を印加することによって駆動する駆動部を有し、
前記駆動部は、前記照明光を透過又は反射するように駆動することを特徴とする請求項１に記載の表示装置。
【請求項４】
前記走査位置検知部は、光センサであることを特徴とする請求項２又は３に記載の表示装置。
【請求項５】
前記制御光用光学系は、所定の２軸を中心に回動することにより、第１の方向と、前記第１の方向に略直交する第２の方向とに前記制御光を走査させる走査部を有し、
前記表示パネルは、前記第１の方向に略平行な辺と、前記第２の方向に略平行な辺とからなる略矩形形状の前記表示領域と、前記表示領域の外縁に設けられた非表示領域と、からなり、
前記走査部は、前記制御光を前記第１の方向へ走査させた後、前記第２の方向に所定の空間的間隔をおいて、前記第１の方向へ走査することをくり返して行うことにより、前記表示領域と、前記非表示領域とに前記制御光を走査し、
前記光センサは、第１の光センサと第２の光センサとであって、
前記第１の光センサは、前記第２の方向に略平行な前記表示領域の一辺の近傍の前記非表示領域に入射する前記制御光の光路上に設けられ、
前記第２の光センサは、前記一辺と対向する前記表示領域の他の一辺の近傍の前記非表示領域に入射する前記制御光の光路上に設けられていることを特徴とする請求項４に記載の表示装置。
【請求項６】
前記制御部は、前記表示パネルの前記非表示領域に略一定の光量の前記制御光を走査するように前記制御光用光学系を制御することを特徴とする請求項５に記載の表示装置。
【請求項７】
前記表示パネルは、前記表示領域と、前記表示領域の外縁に設けられた非表示領域と、からなり、
前記走査位置検知部は、電圧を検出する電圧検出用電極と、前記電圧検出用電極に印加されている電圧を検出する電圧検出部と、を有し、
前記電圧検出用電極は、前記制御光が入射する側とは反対の側の前記非表示領域に、前記導電率可変層に接触させて設けられていることを特徴とする請求項２又は３に記載の表示装置。
【請求項８】
前記制御光用光学系は、所定の２軸を中心に往復して回動することにより、第１の方向と、前記第１の方向に略直交する第２の方向とに前記制御光を走査させる走査部を有し、
前記表示パネルは、前記第１の方向に略平行な辺と、前記第２の方向に略平行な辺とからなる略矩形形状の前記表示領域と、前記表示領域の外縁に設けられた非表示領域と、からなり、
前記走査部は、前記制御光を前記第１の方向へ走査させた後、前記第２の方向に所定の空間的間隔をおいて、前記第１の方向へ走査することをくり返して行うことにより、前記表示領域と、前記非表示領域とに前記制御光を走査し、
前記走査速度演算部は、前記第２の方向における前記制御光の位置に対応して、前記各画素における前記走査速度を算出することを特徴とする請求項２〜７のいずれか一項に記載の表示装置。
【請求項９】
前記走査速度演算部は、さらに、前記第１の方向における前記制御光の位置に対応して、前記各画素における前記走査速度を算出することを特徴とする請求項８に記載の表示装置。
【請求項１０】
前記走査速度演算部は、前記走査位置検知部による前記検知結果から算出される補間値を用いることによって、前記各画素における前記走査速度を算出することを特徴とする請求項８又は９に記載の表示装置。
【請求項１１】
制御光の光量に応じて電気的な導電率が変化する導電率可変層を備え、複数の画素ごとに前記導電率に応じた電流又は電圧が印加されることによって画像を表示する表示パネルを有する表示装置の制御方法であって、
前記表示パネルの表示領域より大きい走査領域に前記制御光を走査することにより、前記表示パネルに前記制御光を供給する制御光供給工程と、
前記制御光が前記表示パネルの前記表示領域内を走査していることを検知する走査位置検知工程と、
前記走査位置検知工程における検知結果に基づいて、前記各画素における前記制御光の走査速度を算出する走査速度演算工程と、
前記制御光供給工程における前記制御光の光量を、画像信号に応じて変調する光量変調工程と、を含み、
前記光量変調工程において、前記走査位置検知工程における前記検知結果に基づいて、前記制御光が前記表示領域内を走査しているときにのみ、前記制御光の光量を前記画像信号に応じて変調し、
さらに、前記光量変調工程において、所定の前記画素について所望の階調レベルとなるように、前記画像信号に応じて変調されている前記制御光の光量を、算出された前記走査速度に基づいて補正することを特徴とする表示装置の制御方法。
【発明の詳細な説明】
【技術分野】
【０００１】
本発明は、表示装置及び表示装置の制御方法、特に、光を走査することにより制御可能な表示パネルを用いる表示装置の技術に関する。
【背景技術】
【０００２】
従来、画像信号に応じて変調されたレーザ光をスクリーンに走査することによって画像を表示する表示装置が提案されている。レーザ光を走査することによって画像を表示する表示装置の技術としては、例えば、特許文献１に提案されているものがある。
【０００３】
【特許文献１】特開２００３−９８６０１号公報
【発明の開示】
【発明が解決しようとする課題】
【０００４】
ここで、画素ごとに電気的にアクセスする表示装置において、電気的なアクセスに代えて、制御光を走査することによって表示パネルを制御することが考えられている。電気的にアクセスする表示装置としては、例えば、電流によって発光するエレクトロ・ルミネッセンス（以下、「ＥＬ」という。）や、電圧によって照明光を透過又は反射させる液晶を用いる表示パネルを備えるものがある。例えば、ＥＬを用いる表示パネルが制御光によって制御可能であると、画像信号に応じた制御光を表示パネルに走査することにより、表示パネルを制御することができる。電気的なアクセスによらず、制御光を用いて表示パネルを制御することができると、画素ごとの電気的な配線等が不要となる。このため、制御光によって表示パネルが制御可能であると、表示パネルを簡易な構成とすることができる。制御光を走査することによって表示パネルを制御することを、以下、光アドレッシングによる制御という。
【０００５】
制御光は、例えば、上記の特許文献１に提案されている技術と同様に、ガルバノミラーを回動させることにより二次元方向に走査することができる。コンパクトな構成で制御光を走査するためには、ガルバノミラーから表示パネルまでの間の距離を短くすることが望ましい。これに対して、ガルバノミラーから表示パネルまでの間の距離を短くすると、表示パネルの全領域に制御光を走査するためには、ガルバノミラーを回動させる角度範囲を大きくする必要が生じる。ガルバノミラーは、画像信号に応じて高速に回動する。ガルバノミラーは、高速に、かつ大きな角度範囲で回動することにより、負担が大きくなってしまう。このようなガルバノミラーの負担を考慮すると、ガルバノミラーが回動する角度範囲を小さくすることが望ましい。ガルバノミラーが回動する角度範囲を小さくするためには、ガルバノミラーと表示パネルまでの間の空間的間隔を大きくとる必要が生じ、装置が大型となってしまう。特に、筐体内でレーザ光を走査する場合に、表示パネルを正面とするときの筐体の奥行きが大きくなってしまう。
【０００６】
これらの不具合に対しては、表示パネルに対して斜め方向からあおり角を持つように制御光を入射させることが考えられる。制御光を斜め方向から入射する構成とすると、表示パネルに対して制御光を略垂直な方向から入射させる場合に比較して、ガルバノミラーから表示パネルまでの間の光路が長くなる。また、制御光を斜め方向から入射する構成とすると、表示パネルに対して略垂直な方向から制御光を入射する場合より、筐体を薄型にすることができる。
【０００７】
表示パネルに対して斜め方向から制御光を入射するときに、表示パネルに対して略垂直な方向から制御光を入射させるときと同様の角度範囲で制御光を走査することを考える。このとき、略矩形形状の領域を有する表示パネルに制御光を走査する場合であっても、制御光の走査領域は略矩形にならず、ガルバノミラーの位置から遠い位置となるに従い広く拡がりを持つような台形になってしまう。制御光の走査領域が略矩形形状となるようにガルバノミラーが回動する角度範囲を調整することによって、表示パネルの略矩形領域に制御光を入射できるとも考えられる。しかし、表示パネルの領域に合わせてガルバノミラーが回動する角度範囲を調整すると、ガルバノミラーの駆動に大きな負担を生じることとなる。さらに、制御光の走査速度は、制御光を走査させる位置から遠い位置となるに従い大きくなる。制御光の走査速度が大きくなると、制御光が広い領域に分散する。このように制御光が分散する領域に差が生じると、例えば制御光の光量を略一定とする場合であっても、明るさムラが生じてしまう。制御光に明るさムラが生じると、表示画像についても明るさムラを生じる。このような表示画像の明るさムラは、画像信号の変化とは何ら関係がないものである。
【０００８】
このように、表示パネルに対してあおり角を持って斜め方向から制御光を入射させる場合、表示領域に対応して表示パネルを正確に制御すること、及び正確な光量で表示することが困難となるという問題が生じる。本発明は、上述の問題に鑑みてなされたものであり、光アドレッシングによる表示パネルの制御を行う表示装置において、表示領域に対応して表示パネルを正確に制御でき、かつ正確な光量で表示可能な表示装置、及びその表示装置の制御方法を提供することを目的とする。
【課題を解決するための手段】
【０００９】
上述した課題を解決し、目的を達成するために、本発明によれば、制御光の光量に応じて電気的な導電率が変化する導電率可変層を備え、複数の画素ごとに導電率に応じた電流又は電圧が印加されることによって画像を表示する表示パネルと、表示パネルに電流又は電圧を印加するための電源と、表示パネルの表示領域より大きい走査領域に制御光を走査することにより、表示パネルに制御光を供給する制御光用光学系と、制御光が表示パネルの表示領域内を走査していることを検知する走査位置検知部と、走査位置検知部からの検知結果に基づいて、各画素における制御光の走査速度を算出する走査速度演算部と、画像信号に応じて制御光の光量を変調するように制御光用光学系を制御する制御部と、を有し、制御部は、走査位置検知部からの検知結果に基づいて、制御光が表示領域内を走査しているときにのみ、画像信号に応じて制御光用光学系を制御し、さらに、制御部は、所定の画素について所望の階調レベルとなるように、画像信号に応じて変調されている制御光の光量を、算出された走査速度に基づいて補正することを特徴とする表示装置を提供することができる。
【００１０】
本発明によると、走査位置検知部は、制御光が表示パネルの表示領域内を走査していることを検知する。また、制御部は、走査位置検知部からの検知結果に基づいて、制御光が表示領域内を走査しているときにのみ、画像信号に応じて制御光用光学系を制御する。制御光用光学系は、表示領域内のみに画像信号に応じて変調された制御光を供給する。この場合、走査領域内に表示領域があれば、走査領域の形状と表示領域の形状とが一致しなくても、表示パネルの表示領域のみに画像信号に応じて変調された制御光が供給される。制御光の走査領域が台形となる場合であっても、略矩形の表示領域の位置に制御光を供給することができる。制御部は、走査位置検知部からの検知結果に基づいて、各画素を制御光が走査するタイミングと、画像信号のタイミングクロックとを合わせることができる。このようにして、制御光が表示領域内を走査しているときにのみ画像信号に応じて制御光用光学系を制御することができる。走査位置検知部からの検知結果に基づいて画像信号のタイミングクロックを調整すればよいことから、例えば、ガルバノミラーが回動する角度範囲を調整する場合に比較して、容易に、表示領域内に制御光を供給することができる。
【００１１】
また、本発明によると、走査速度演算部は、走査位置検知部による検知結果に基づいて、各画素における制御光の走査速度を算出する。そして、制御部は、所定の画素について所望の階調レベルとなるように、画像信号に応じて変調されている制御光の光量を、算出された走査速度に基づいて補正する。例えば、制御光の走査速度が速い領域では、制御部は、電流値を加算する補正を行う。電流値が加算されると、制御光用光学系は、画像信号に応じて変調されるより多い光量の制御光を供給する。制御光の光量を増加することにより、その領域の画素について明るさを向上して所望の階調レベルとすることができる。
【００１２】
制御光の走査速度が遅い領域では、制御部は、電流値を減算する補正を行う。電流値が減算されると、制御光用光学系は、画像信号に応じて変調されるより少ない光量の制御光を供給する。制御光の光量を減少することにより、その領域の画素について明るさを低減して所望の階調レベルとすることができる。このようにして、所定の画素を所定の階調レベルとする。所定の画素を所望の階調レベルとすることから、画像信号に対応して正確な表示を行うことができる。これにより、光アドレッシングによる表示パネルの制御を行う表示装置において、表示領域に対応して表示パネルを正確に制御でき、かつ正確な光量で表示可能な表示装置を得られる。
【００１３】
また、本発明の好ましい態様によれば、表示パネルは、導電率に応じた電流によって発光するＥＬ層を有することが望ましい。導電率可変層に制御光を入射すると、表示パネルは、制御光の光量に応じて発光する。表示パネルの表示領域のみに画像信号に応じた制御光を走査させることにより、表示パネルの表示領域を正確に発光させることができる。また、画像信号に応じて変調されている制御光の光量を、所定の画素について所望の階調レベルとなるように補正することにより、正確な光量で表示パネルを発光させることができる。これにより、表示パネルの表示領域を正確に発光させ、かつ正確な光量で表示可能な表示装置を得られる。
【００１４】
また、本発明の好ましい態様によれば、照明光を供給する照明光用光源を有し、表示パネルは、導電率に応じた電圧を印加することによって駆動する駆動部を有し、駆動部は、照明光を透過又は反射するように駆動することが望ましい。導電率可変層に制御光を入射すると、表示パネルは、制御光の光量に応じて駆動する。駆動部は、制御光の光量に応じて照明光を透過又は反射する。表示装置は、駆動部が制御光の光量に応じて照明光を透過又は反射することにより画像を表示する。表示パネルの表示領域のみに画像信号に応じた制御光を走査させることにより、正確に駆動部を駆動することができる。駆動部を正確に駆動することにより、照明光を正確に透過又は反射させることが可能となる。また、画像信号に応じて変調されている制御光の光量を、所定の画素について所望の階調レベルとなるように補正することにより、正確な光量で画像を表示することができる。これにより、照明光を正確に透過又は反射させ、かつ正確な光量で表示可能な表示装置を得られる。
【００１５】
また、本発明の好ましい態様としては、走査位置検知部は、光センサであることが望ましい。光センサを用いることにより、光センサの位置を走査する制御光を、正確に検出することができる。これにより、制御光が表示パネルの表示領域内を走査していることを正確に検知することができる。
【００１６】
また、本発明の好ましい態様としては、制御光用光学系は、所定の２軸を中心に回動することにより、第１の方向と、第１の方向に略直交する第２の方向とに制御光を走査させる走査部を有し、表示パネルは、第１の方向に略平行な辺と、第２の方向に略平行な辺とからなる略矩形形状の表示領域と、表示領域の外縁に設けられた非表示領域と、からなり、走査部は、制御光を第１の方向へ走査させた後、第２の方向に所定の空間的間隔をおいて、第１の方向へ走査することをくり返して行うことにより、表示領域と、非表示領域とに制御光を走査し、光センサは、第１の光センサと第２の光センサとであって、第１の光センサは、第２の方向に略平行な表示領域の一辺の近傍の非表示領域に入射する制御光の光路上に設けられ、第２の光センサは、一辺と対向する表示領域の他の一辺の近傍の非表示領域に入射する制御光の光路上に設けられていることが望ましい。
【００１７】
第１の光センサと第２の光センサとは、表示パネルの表示領域の辺の近傍に対応する位置に設けられる。このため、第１の光センサと第２の光センサとは、非表示領域から表示領域へ入るときの制御光と、表示領域から非表示領域へ入るときの制御光とを検出する。これにより、制御光が表示パネルの表示領域内を走査していることを検知することができる。
【００１８】
また、本発明の好ましい態様としては、制御部は、表示パネルの非表示領域に略一定の光量の制御光を走査するように制御光用光学系を制御することが望ましい。制御光が非表示領域を走査するときには、制御光は、画像信号に関係ない略一定の光量にできる。表示パネルの非表示領域に制御光を走査することにより、非表示領域に対応して設けられている光センサに制御光を検出させることができる。これにより、制御光が表示パネルの表示領域内を走査していることを検知することができる。また、非表示領域を走査するときに制御光の光量を略一定とすると、表示装置の稼動中において、一定の頻度で制御光の光量が略一定となる期間が設けられることとなる。このときの制御光の光量のモニタ及びフィードバックを行うことにより、制御光用光学系からの制御光の出力量が一定となるようにコントロールすることもできる。
【００１９】
また、本発明の好ましい態様としては、表示パネルは、表示領域と、表示領域の外縁に設けられた非表示領域と、からなり、走査位置検知部は、電圧を検出する電圧検出用電極と、電圧検出用電極に印加されている電圧を検出する電圧検出部と、を有し、電圧検出用電極は、制御光が入射する側とは反対の側の非表示領域に、導電率可変層に接触させて設けられていることが望ましい。非表示領域の導電率可変層に制御光を走査すると、電圧検出用電極に、導電率可変層の導電率に応じた電圧が印加される。電圧検出用電極に印加されている電圧を電圧検出部で検出する構成とすると、電圧検出用電極が設けられた非表示領域の位置を走査する制御光を、正確に検出することができる。
【００２０】
制御光が非表示領域を走査するときには、制御光は、画像信号に関係ない略一定の光量にできる。表示パネルの非表示領域に制御光を走査することにより、電圧検出部は、非表示領域に対応して設けられている電圧検出用電極に印加されている電圧を検出することができる。これにより、電圧検出部は、制御光が表示パネルの表示領域内を走査していることを検知できる。制御光が非表示領域を走査するときに制御光の光量を略一定とすると、表示装置の稼動中において、一定の頻度で制御光の光量が略一定となる期間が設けられる。制御光が非表示領域を走査する期間に制御光の光量のモニタ及びフィードバックを行うことにより、制御光用光学系からの制御光の出力量が一定となるようにコントロールすることもできる。
【００２１】
また、本発明の好ましい態様としては、制御光用光学系は、所定の２軸を中心に往復して回動することにより、第１の方向と、第１の方向に略直交する第２の方向とに制御光を走査させる走査部を有し、表示パネルは、第１の方向に略平行な辺と、第２の方向に略平行な辺とからなる略矩形形状の表示領域と、表示領域の外縁に設けられた非表示領域と、からなり、走査部は、制御光を第１の方向へ走査させた後、第２の方向に所定の空間的間隔をおいて、第１の方向へ走査することをくり返して行うことにより、表示領域と、非表示領域とに制御光を走査し、走査速度演算部は、第２の方向における制御光の位置に対応して、各画素における走査速度を算出することが望ましい。
【００２２】
例えば、表示パネルの略中心位置における法線より下側の位置から、あおり角をもって表示パネルの略中心位置に制御光が入射する場合を考える。制御光は、第１の方向である水平方向へ走査した後、第２の方向である上下方向に所定の空間的間隔をおいて、再び水平方向へ走査するとする。表示パネルに対して斜め方向から制御光を入射させると、１つの画素に対応する領域における制御光の走査速度は、走査部の位置から遠い位置となるに従い大きくなる。この場合、制御光の入射位置は、表示パネルの上側に行くに従って、走査部から遠い位置となる。水平方向への制御光の走査速度は、制御光の走査位置が上側へ行くに従って大きくなる。また、制御光の入射位置は、表示パネルの下側に行くに従って、走査部から近い位置となる。水平方向への制御光の走査速度は、制御光の走査位置が下側へ行くに従って小さくなる。このように、第１の方向への制御光の走査速度は、第２の方向の位置に応じて異なっている。
【００２３】
走査速度演算部は、第２の方向における制御光の位置に対応して、各画素における走査速度を算出する。走査速度演算部は、第２の方向における制御光の位置に関するデータを、走査位置検知部の検知結果から得ることができる。例えば、表示領域の一方の端部から他方の端部まで、制御光が第１の方向に走査する時間は、第２の方向における制御光の位置により異なる。この時間は、例えば、第１の光センサと、第２の光センサとを用いることによって検出できる。走査速度演算部は、制御光が表示領域内を第１の方向に走査する時間から、第２の方向における制御光の位置に関するデータを得ることができる。
【００２４】
例えば、走査速度演算部が算出する各画素における走査速度は、走査位置検知部の検知結果から得られた制御光の走査位置が表示パネルの上側であるほど大きな数値となる。これとは逆に、走査速度は、走査位置検知部の検知結果から得られた制御光の走査位置が表示パネルの下側であるほど小さな数値となる。このように、第２の方向である上下方向における制御光の位置に対応して各画素における走査速度を算出することにより、容易かつ正確に、各画素における走査速度を算出することができる。
【００２５】
また、本発明の好ましい態様としては、走査速度演算部は、さらに、第１の方向における制御光の位置に対応して、各画素における走査速度を算出することが望ましい。走査部は、制御光を第１の方向へ走査させた後、第２の方向に所定の空間的間隔をおいて、再び第１の方向へ走査することをくり返して行う。このように走査部が往復回動すると、制御光が第１の方向に走査する間において、表示領域の中心部を走査するときの制御光の走査速度が、表示領域の周辺部を走査するときの走査速度に比較して大きくなる。このとき、制御光が第１の方向に走査する間において、第１の方向における中心位置に近いほど制御光の走査速度は大きい。また、第１の方向における両端部に近いほど制御光の走査速度は小さい。このように、第１の方向への制御光の走査速度は、第１の方向の位置に応じて異なっている。
【００２６】
走査速度演算部は、第１の方向における制御光の位置に対応して、各画素における走査速度を算出する。走査速度演算部が算出する各画素における走査速度は、制御光の走査位置が表示パネルの中心に近い位置であるほど大きな数値となる。これとは逆に、走査速度は、制御光の走査位置が表示パネルの両端部に近い位置であるほど小さな数値となる。このように、第１の方向における制御光の位置に対応して各画素における走査速度を算出することにより、容易かつ正確に、各画素における走査速度を算出することができる。
【００２７】
また、本発明の好ましい態様としては、走査速度演算部は、走査位置検知部による検知結果から算出される補間値を用いることによって、各画素における走査速度を算出することが望ましい。走査部は、制御光を第１の方向へ走査させた後、第２の方向に所定の空間的間隔をおいて、第１の方向へ走査することをくり返して行う。走査部は、第１の方向へくり返し制御光を走査するために、往復して回動する。走査部が回動する角度範囲が略一定であるとすると、走査部の角度位置と時間との関係を正弦関数で表すことができる。第１の方向における制御光の位置と時間との関係は、この正弦関数から求められる。
【００２８】
走査速度演算部は、走査位置検知部による検知結果から算出される補間値を用いることによって、各画素における制御光の走査速度を算出する。走査位置検知部の検知結果と、正弦関数とからは、表示パネルの表示領域における制御光の走査位置と、時間との関係を求めることができる。制御光の走査位置と、時間との関係から、第１の方向に並列している各画素を制御光が走査する時間を補間値として求める。各画素の長さを、制御光が画素を走査する時間で除算すれば、各画素についての走査速度を求めることができる。このようにして、走査速度演算部は、各画素における第１の方向への制御光の走査速度を、補間値として算出する。走査速度演算部は、各画素における走査速度を、走査位置検知部の検知結果から得ることができる。これにより、容易かつ正確に、各画素における走査速度を算出することができる。
【００２９】
さらに、本発明によれば、制御光の光量に応じて電気的な導電率が変化する導電率可変層を備え、複数の画素ごとに導電率に応じた電流又は電圧が印加されることによって画像を表示する表示パネルを有する表示装置の制御方法であって、表示パネルの表示領域より大きい走査領域に制御光を走査することにより、表示パネルに制御光を供給する制御光供給工程と、制御光が表示パネルの表示領域内を走査していることを検知する走査位置検知工程と、走査位置検知工程における検知結果に基づいて、各画素における制御光の走査速度を算出する走査速度演算工程と、制御光供給工程における制御光の光量を、画像信号に応じて変調する光量変調工程と、を含み、光量変調工程において、走査位置検知工程における検知結果に基づいて、制御光が表示領域内を走査しているときにのみ、制御光の光量を画像信号に応じて変調し、さらに、光量変調工程において、所定の画素について所望の階調レベルとなるように、画像信号に応じて変調されている制御光の光量を、算出された走査速度に基づいて補正することを特徴とする表示装置の制御方法を提供することができる。
【００３０】
走査位置検知工程において、制御光が表示パネルの表示領域内を走査していることを検知する。また、光量変調工程において、走査位置検知工程における検知結果に基づいて、制御光が表示領域内を走査しているときにのみ、画像信号に応じて制御光を変調する。制御光用光学系は、表示領域内のみに画像信号に応じて変調された制御光を供給する。また、走査速度演算工程において、走査位置検知工程における検知結果に基づいて、各画素における制御光の走査速度を算出する。各画素における制御光の走査速度を算出することにより、制御光の走査速度に基づいて制御光の光量を補正する。これにより、光アドレッシングによる表示パネルの制御を行う表示装置において、表示領域に対応して表示パネルを正確に制御でき、かつ正確な光量で表示することができる。
【発明を実施するための最良の形態】
【００３１】
以下に図面を参照して、本発明の実施例を詳細に説明する。
【実施例１】
【００３２】
図１は、本発明の実施例１に係る表示装置１００の上面構成を示す。本実施例では、まず表示装置１００の概略構成と、表示パネル１１０の光アドレッシングについて説明し、次いで、制御光用光学系１２０を制御するための構成について説明する。表示装置１００は、表示パネル１１０と、制御光用光学系１２０と、制御部１３０と、電源１４０とを備える。表示パネル１１０は、後述の有機ＥＬ層を発光させることによって画像を表示する。制御光用光学系１２０は、制御光用光源１２２と、ガルバノミラー１２４と、制御光用光学系駆動部１２５とから構成されている。
【００３３】
制御光用光源１２２は、ビーム状の光、例えば、レーザ光である制御光Ｌを供給する。制御光用光源１２２は、例えば、変調器が設けられた半導体レーザ素子や面発光レーザ素子を用いることができる。そして、制御光用光源１２２は、制御部１３０からの画像信号に応じて制御光Ｌの強度を変調して、供給する。制御光用光源１２２からの制御光Ｌは、ガルバノミラー１２４により表示パネル１１０の方向に反射される。ガルバノミラー１２４は、例えば、ＭＥＭＳ（Micro Electro Mechanical Systems）技術により作成することができる。ガルバノミラー１２４は、略直交する所定の２軸であるＸ軸とＹ軸とを中心として回動することにより、制御光Ｌを、Ｘ方向とＹ方向との二方向に走査させる。
【００３４】
ガルバノミラー１２４の回動は、制御部１３０によって、画像信号に応じて制御されている。制御光用光学系駆動部１２５は、制御部１３０からの画像信号に応じて、制御光用光源１２２と、ガルバノミラー１２４とを駆動する。このようにして、制御光用光学系１２０は、制御光Ｌを表示パネル１１０上の面に走査させる。制御光Ｌとしては、紫外線レーザ、可視光線レーザ、赤外線レーザを用いることができる。また、レーザ光に限らず、ビーム状の光、例えば、発光ダイオード素子（ＬＥＤ）からの光を制御光Ｌとして用いることとしても良い。
【００３５】
図２は、表示装置１００を側面から見たときの、ガルバノミラー１２４と、表示パネル１１０とを示す。表示装置１００の側面から見ると、制御光Ｌは、表示パネル１１０の略中心位置における法線Ｎより下側の位置から表示パネル１１０の略中心位置へ、所定のあおり角θをもって入射する。ガルバノミラー１２４は、表示パネル１１０に対して斜め方向から、あおり角θで制御光Ｌを入射させるような位置に設けられている。このように、ガルバノミラー１２４からの制御光Ｌをあおり角θで斜め方向から入射する構成とする場合、ガルバノミラー１２４と表示パネル１１０との間のＺ軸方向における距離が近くなる。Ｚ軸方向についてガルバノミラー１２４を表示パネル１１０の近くに設けることができることから、表示装置１００を薄型にすることができる。
【００３６】
また、あおり角θで制御光Ｌを入射させると、制御光Ｌを表示パネル１１０に対して略垂直な方向から入射させる場合に比較して、ガルバノミラー１２４と表示パネル１１０との間の光路を長くすることができる。ガルバノミラー１２４から表示パネル１１０までの間の光路が長くなることにより、ガルバノミラー１２４が回動する角度範囲を小さくできる。ガルバノミラー１２４は、画像信号に応じて高速に回動する。このため、表示パネル１１０に対してあおり角θで制御光Ｌを入射させると、ガルバノミラー１２４から表示パネル１１０までの光路を長くとれるため、ガルバノミラー１２４の駆動負担を軽減することができる。このように、表示パネル１１０に対してあおり角θで制御光Ｌを入射させると、表示パネル１１０に対して略垂直な方向から制御光Ｌを入射する場合より、表示装置１００を薄型にできる上、ガルバノミラー１２４の駆動負担を軽減できる。
【００３７】
図１に戻って、表示パネル１１０は、画像が表示される表示領域ＡＲ１と、表示領域ＡＲ１の外縁に設けられた非表示領域ＡＲ２とを有する。表示領域ＡＲ１は、第１の方向であるＹ方向に略平行な辺と、Ｙ方向に略直交する第２の方向であるＸ方向に略平行な辺とからなる略矩形形状の領域である。表示パネル１１０の、制御光用光学系１２０が設けられている側の面には、走査位置検知部である、第１の光センサ１３２と第２の光センサ１３４とが設けられている。第１の光センサ１３２と第２の光センサ１３４とは、制御光Ｌが表示パネル１１０の表示領域ＡＲ２内を走査していることを検知する。第１の光センサ１３２と第２の光センサ１３４とは、例えば、フォト・ダイオードを用いることができる。第１の光センサ１３２と第２の光センサ１３４とは、それぞれ制御部１３０に接続されている。
【００３８】
図３は、表示パネル１１０の構成を詳細に表した表示装置１００を示す。基板２０１は、光学的に透明な硝子部材、ポリマー部材等により構成された平行平板である。基板２０１の上には、光学的に透明な第１の透明電極層２０２、導電率可変層２０３が順次積層されている。第１の透明電極層２０２は、ＩＴＯ膜で構成できる。導電率可変層２０３は、第１の透明電極層２０２を透過した制御光Ｌにより、電気的な導電率を変化させる。導電率可変層２０３は、例えばアモルファス・シリコン（以下、「ａ−Ｓｉ」という。）又は感光性有機膜などを用いることができる。例えば、ａ−Ｓｉは、水素を含んでいることが望ましい。また、ａ−Ｓｉは、気相成長法（ＣＶＤ法）により形成する。ａ−Ｓｉは、制御光Ｌを全く照射させていない状態では、電気的な導電率が略ゼロ（即ち抵抗値が略無限大）の絶縁性部材として機能する。これに対して、ａ−Ｓｉに制御光Ｌを照射させると、その光量に応じて導電率が大きくなる（即ち抵抗値が小さくなる）。導電率可変層２０３において導電率が変化する領域は、制御光Ｌを照射させた第１の透明電極層２０２の領域である。
【００３９】
導電率可変層２０３の上には、有機ＥＬ層２０４が設けられている。有機ＥＬ層２０４は、不図示の正孔輸送層、有機発光層、電子輸送層が積層されて構成されている。正孔輸送層の材料としては、例えば、トリアゾール誘導体を用いることができる。有機発光層には、例えば、ベンゾチアゾール系化合物を用いることができる。電子輸送層には、例えば、ジフェニルキノン誘導体等の電子伝達性化合物を用いることができる。なお、正孔輸送層、電子輸送層を設けず、有機発光層に正孔輸送材料と、電子輸送材料とを混合することとしても良い。有機ＥＬ層２０４に電流が流れると、有機発光層では、正孔輸送層からの正孔と、電子輸送層からの電子とが結合する。有機発光層の蛍光物質は、正孔と電子とが結合するときに生じるエネルギーによって、励起される。そして、励起された蛍光物質が基底状態に戻るときに発光現象を起こして、有機発光層から光が発生する。
【００４０】
表示パネル１１０の表示領域ＡＲ２は、有機ＥＬ層２０４が設けられている領域である。そして、表示領域ＡＲ２には、複数の画素が設けられている。表示パネル１１０は、複数の画素ごとに有機ＥＬ層２０４が発光することにより、画像を表示する。複数の画素は、有機ＥＬ層２０４に仕切りを設けること等により、設けることができる。そして、各画素には、赤色光（以下、「Ｒ光」という。）を供給するＲ光用画素と、緑色光（以下「Ｇ光」という。）を供給するＧ光用画素と、青色光（以下、「Ｂ光」という。）を供給するＢ光用画素とがある。
【００４１】
各色光用画素の有機発光層には、色光ごとに異なる蛍光物質が含まれている。各色光用画素の有機発光層は、それぞれの蛍光物質が励起状態から基底状態に戻るときに生じるエネルギー量が異なるために、異なる波長領域の光を生じる。そして、異なる波長領域の光が発生することによって、各色光用画素は、それぞれＲ光、Ｇ光、Ｂ光を発生する。このようにＲ光用画素と、Ｇ光用画素と、Ｂ光用画素とを設けることによって、フルカラーの画像を得ることができる。なお、画素は、表示パネル１１０の非表示領域ＡＲ１には設けられていない。
【００４２】
第２の透明電極層２０５は、第１の透明電極層２０２と同様、ＩＴＯ膜で構成できる。第２の透明電極層２０５の上には、基板２０１と同様の、光学的に透明な部材からなる保護層２０６が設けられている。表示パネル１１０を構成する各層の積層法としては、抵抗加熱真空蒸着法、電子ビーム加熱真空蒸着法、スパッタリング法、イオンプレーティング法、キャスト法、スピンコート法等を適宜用いることができる。
【００４３】
電源１４０は、第１の透明電極層２０２と第２の透明電極層２０５との間に接続されている。電源１４０は、有機ＥＬ層２０４を発光させるために、表示パネル１１０に電流を供給する。制御光用光学系１２０は、表示パネル１１０に対して、基板２０１の側に設けられている。そして、ガルバノミラー１２４から表示パネル１１０の方向に反射された制御光Ｌは、表示パネル１１０の基板２０１側の面へ入射する。制御光用光学系１２０は、制御光Ｌを表示パネル１１０の基板２０１面に走査させる。
【００４４】
次に、表示パネル１１０を光アドレッシングするための構成について説明する。制御光用光学系１２０からの制御光Ｌは、表示パネル１１０の基板２０１と、第１の透明電極層２０２とを透過して、導電率可変層２０３に入射する。画像信号に応じた強度の制御光Ｌが導電率可変層２０３に入射すると、制御光Ｌの入射位置の部分について、制御光Ｌの光量に応じて電気的な導電率が増大する。なお、厳密には、導電率可変層２０３の導電率が変化する領域は、制御光Ｌの強度とその照射時間とに比例して、照射位置を中心として周辺へ拡がる傾向がある。ここでは、ガルバノミラー１２４により制御光Ｌを高速に走査させることとし、制御光Ｌを照射させた領域近傍のみの導電率が変化するものとして扱う。
【００４５】
導電率可変層２０３の導電率が増大することにより、電源１４０の、第１の透明電極層２０２と接続されている一方の電極は、第１の透明電極層２０２と導電率可変層２０３とを経由して、有機ＥＬ層２０４と電気的に接続される。また、電源１４０の他方の電極は、第２の透明電極層２０４に接続されている。導電率可変層２０３の導電率は、第１の透明電極層２０２を透過した制御光Ｌの光量に応じて変化する。制御光Ｌの光量に応じて導電率可変層２０３の導電率が変化すると、有機ＥＬ層２０４には、制御光Ｌの光量に応じた電流が流れる。制御光Ｌの光量に応じた電流が流れることにより、制御光Ｌに応じて有機ＥＬ層２０４を発光させることができる。さらに、制御光用光学系１２０を用いて制御光Ｌを入射させる位置を制御することにより、画像信号に応じて有機発光層２０４を画素ごとに発光させて画像を表示することができる。
【００４６】
次に、制御光用光学系１２０を制御するための構成について説明する。図４は、ガルバノミラー１２４の側から見た表示パネル１１０の構成を示す。ガルバノミラー１２４は、制御光Ｌを第１の方向であるＹ方向へ走査させた後、第２の方向であるＸ方向に所定の空間的間隔をおいて、Ｙ方向に、それまでとは逆方向に走査する。例えば、Ｘ方向の位置ｘ１をＹ方向マイナス向きに走査した制御光Ｌは、Ｘ方向に間隔｜ｘ１−ｘ２｜だけ移動して、Ｘ方向の位置ｘ２をｙ方向プラス向きに走査する。このときのＸ方向における所定の空間的間隔とは、例えば、１画素相当の長さである。このように制御光Ｌは、Ｙ方向への走査とＸ方向への移動とをくり返す。
【００４７】
上述のように、ガルバノミラー１２４（図２参照）は、表示パネル１１０に対して下側から、あおり角θで制御光Ｌを入射させる。このため、ガルバノミラー１２４がＹ方向へ制御光Ｌを走査させるときに略同一の角度範囲で回動すると、走査領域ＡＲ３は、ガルバノミラー１２４の位置から遠い位置となるに従い広く拡がりを持つような台形形状をなす。図４に示すように、制御光Ｌは、表示パネル１１０の表示領域ＡＲ１より大きな台形形状の走査領域ＡＲ３内において蛇行する走査軌跡Ｓで走査する。
【００４８】
第１のセンサ１３２と第２のセンサ１３４とは、それぞれＸ方向に長手方向を有する短冊形状をなしている。そして、第１の光センサ１３２は、Ｘ方向に略平行な表示領域ＡＲ２の一辺ｍ１の近傍の、非表示領域ＡＲ１に設けられている。第２の光センサ１３４は、辺ｍ１と対向する表示領域ＡＲ２の他の一辺ｍ２の近傍の、非表示領域ＡＲ１に設けられている。第１のセンサ１３２と第２のセンサ１３４とは、いずれも長手方向の長さが辺ｍ１及び辺ｍ２の長さと略同一か、又は辺ｍ１及び辺ｍ２の長さより少し長くなるように設けられている。
【００４９】
例えば、制御光ＬがＸ方向の位置ｘ１をｙ方向に走査する場合、制御光Ｌは、第１の光センサ１３２と、第２の光センサ１３４とを通過する。そして、第１の光センサ１３２を制御光Ｌが通過するときと、第２の光センサ１３４を制御光Ｌが通過するときとの間、制御光Ｌは、表示領域ＡＲ２を走査している。制御光Ｌが第２の光センサ１３４を通過した後は、位置ｘ２において再び制御光Ｌが第２の光センサ１３４を通過するときと、第１の光センサ１３２を制御光Ｌが通過するときとの間、制御光Ｌは、表示領域ＡＲ２を走査している。
【００５０】
第１の光センサ１３２と第２の光センサ１３４とは、制御光Ｌを検出することによって、互いが制御光Ｌを検出する間の時間において制御光Ｌが表示領域ＡＲ２を走査していることを検知する。第１の光センサ１３２と第２の光センサ１３４とは、Ｘ方向のいずれの位置においてもこれをくり返して、制御光Ｌが表示領域ＡＲ２を走査していることを検知する。このようにして第１の光センサ１３２と第２の光センサ１３４とは、制御光Ｌが表示パネル１１０の表示領域ＡＲ２を走査していることを検知することができる。
【００５１】
図５に示す回路を用いて、制御部１３０（図１参照）による制御光Ｌを補正するための構成について説明する。制御部１３０は、タイミング補正部５１０と、光量補正部５２０とを有する。タイミング補正部５１０は、第１の光センサ１３２及び第２の光センサ１３４からの検知結果に基づいて、制御光Ｌが表示領域ＡＲ２（図４参照）内を走査しているときにのみ、画像信号ＰＳに応じて制御光用光源１２２（図１参照）を制御する。クロック生成部５１２は、第１の光センサ１３２及び第２の光センサ１３４による制御光Ｌを検出するタイミングに合わせてタイミングクロック信号を生成する。そして、クロック合成部５１４は、入力された画像信号ＰＳと、クロック生成部５１２からのタイミングクロック信号とを合わせて、演算部５３０に信号Ｐ１を出力する。この出力信号Ｐ１によって、制御部１３０は、制御光Ｌが表示領域ＡＲ２内を走査しているときのみ画像信号ＰＳに応じて制御光用光源１２２を制御することができる。
【００５２】
図６は、制御光Ｌが、図４に示すＸ方向の位置ｘ１をＹ方向に走査しているときの制御光用光源１２２の出力と、第１の光センサ１３２及び第２の光センサ１３４の出力とのタイミングの例を示す。図７は、制御光Ｌが、Ｘ方向の位置ｘｎをＹ方向に走査しているときの制御光用光源１２２の出力と、第１の光センサ１３２及び第２の光センサ１３４の出力とのタイミングの例を示す。図６、図７ともに、縦軸を出力量、横軸を時間ｔとしている。画像信号ＰＳの出力タイミングを補正することにより、制御部１３０は、制御光Ｌが表示領域ＡＲ２内を走査しているときにのみ画像信号ＰＳを出力する。図６、図７に示すように、制御光用光源１２２は、制御光Ｌが走査領域ＡＲ２内を走査しているときにのみ、画像信号ＰＳに応じた光量の制御光Ｌを供給することができる。
【００５３】
光量補正部５２０は、所定の画素について所望の階調レベルとなるように、走査速度に基づいて、画像信号ＰＳに応じて変調されている制御光Ｌの光量を補正する。導電率可変層２０３（図３参照）は、制御光Ｌの光量のほかに制御光Ｌの照射時間によっても変化する導電率が異なってくる。例えば、制御光Ｌの光量が略一定であっても、制御光Ｌの走査速度が大きいほど制御光Ｌの光量が広い領域に分散するため、導電率の変化量が小さくなると考えられる。そこで、走査速度が大きくなるに従い制御光Ｌの光量を大きくすることによって、正確に導電率を変化させることができると考えることができる。
【００５４】
上述のように、ガルバノミラー１２４（図２参照）は、表示パネル１１０に対して下側から、あおり角θで制御光Ｌを入射させる。このため、ガルバノミラー１２４がＹ方向へ制御光Ｌを走査させるときに略同一の角度範囲で回動すると、１つの画素における制御光Ｌの走査速度は、表示パネル１１０がガルバノミラー１２４の位置から遠くなるに従い大きくなる。また、ガルバノミラー１２４を往復回動すると、制御光Ｌが走査領域ＡＲ３の中心部を走査しているときの走査速度は、制御光Ｌが走査領域ＡＲ３の両端部を走査するときの走査速度に比較して大きくなる。このように、Ｙ方向に制御光Ｌが走査する間においても、制御光Ｌの走査速度に差が生じ得る。光量補正部５２０は、このような走査速度の違いに基づいて、制御光Ｌの光量を補正する。所定の画素について所望の階調レベルとするように制御光Ｌの光量を補正するため、光量補正部５２０は、走査速度演算部５２２において、所定の画素における制御光Ｌの走査速度を正確に算出する必要がある。
【００５５】
走査速度演算部５２２は、第１の光センサ１３２及び第２の光センサ１３４による検知結果に基づいて、各画素における制御光Ｌの走査速度を算出する。ここで、走査速度演算部５２２による各画素における制御光Ｌの走査速度の算出について説明する。走査速度演算部５２２は、Ｙ方向における制御光Ｌの位置と、Ｘ方向における制御光Ｌの位置とに対応して、走査速度を算出する。まず、Ｙ方向における制御光Ｌの位置に対応する走査速度の算出について説明する。表示パネル１１０に対してあおり角θで制御光Ｌを入射させると、１つの画素における制御光Ｌの走査速度は、表示パネル１１０の位置がガルバノミラー１２４の位置から遠くなるに従い大きくなる。
【００５６】
図４を用いて説明すると、表示パネル１１０に対して下側から斜め方向に制御光Ｌを入射させるとき、例えば、表示パネル１１０の上側である位置ｘ１は、表示パネル１１０の下側である位置ｘｎより遠い位置である。このため、表示領域ＡＲ２を制御光ＬがＹ方向に走査するのに要する時間は、制御光Ｌが位置ｘ１にあるときのほうが、制御光Ｌが位置ｘｎにあるときより短い。図６と図７とを比較すると、位置ｘ１において表示領域ＡＲ２を走査する時間ｔ１は、位置ｘｎにおいて表示領域ＡＲ２を走査する時間ｔｎより短い。ここで、位置ｘ１と位置ｘｎとにおいてＹ方向に並列している画素数が同数であるとすると、位置ｘ１に並列する画素における制御光Ｌの走査速度は、位置ｘｎに並列する画素における制御光Ｌの走査速度より大きい。
【００５７】
このように、制御光Ｌの走査速度は、表示パネル１１０の位置がガルバノミラー１２４の位置から遠くなるに従い大きくなる。そこで、走査速度演算部５２２は、制御光ＬのＸ方向における位置ｘ１〜ｘｎに従って走査速度を算出する。ガルバノミラー１２４の回動速度が略一定であるとすると、各位置ｘ１〜ｘｎにおいて、表示領域ＡＲ２をＹ方向に制御光Ｌが走査する時間ｔはそれぞれ略一定である。このため、制御光ＬのＸ方向における位置は、第１の光センサ１３２及び第２の光センサ１３４の検知結果に基づいて、表示領域ＡＲ２を制御光Ｌが走査する時間ｔから求めることができる。
【００５８】
次に、Ｙ方向における制御光Ｌの位置に対応する走査速度の算出について説明する。ガルバノミラー１２４を往復回動すると、制御光ＬがＹ方向に走査する間において、表示領域ＡＲ２の中心部に近いほど制御光Ｌの走査速度は大きい。また、Ｙ方向における両端部に近いほど制御光Ｌの走査速度は小さい。このように、Ｙ方向への制御光Ｌの走査速度は、Ｙ方向の位置に応じて異なっている。そこで、走査速度演算部５２２は、制御光ＬのＹ方向における位置に従って走査速度を算出する。
【００５９】
図８を用いて、Ｙ方向における制御光Ｌの位置に対応する走査速度の算出について説明する。ガルバノミラー１２４は、Ｙ方向へくり返し制御光Ｌを走査するために、往復して回動する。ガルバノミラー１２４が回動する角度範囲は略一定であるとすると、Ｙ方向に制御光Ｌを走査させるときのガルバノミラー１２４の角度位置θと、時間ｔとを、図８に示すような正弦関数で表すことができる。図８に示すグラフは、縦軸にガルバノミラー１２４の角度位置θ、横軸に時間ｔをとって示している。ガルバノミラー１２４の角度位置θは、ガルバノミラー１２４が回動する角度範囲の中心部を０、回動する角度範囲の両端部を＋θ、−θとして表している。
【００６０】
また、グラフ上の黒点は、第１の光センサ１３２により制御光Ｌを検出した時間と、第２の光センサ１３４により制御光Ｌを検出した時間とにおけるガルバノミラー１２４の角度位置θを示す。例えば、第１の光センサ１３２により制御光Ｌを検出した時間ｔａと、第２の光センサ１３４により制御光Ｌを検出した時間ｔｂとの間において、制御光Ｌは、表示領域ＡＲ２を走査している。Ｙ方向における制御光Ｌの位置は、ガルバノミラー１２４の角度位置θに対応している。このため、図８に示す正弦関数により、時間ｔと、Ｙ方向における制御光Ｌの位置との関係を求めることができる。
【００６１】
走査速度演算部５２２は、第１の光センサ１３２及び第２の光センサ１３４の検知結果から算出される補間値を用いて、各画素における制御光Ｌの走査速度を算出する。第１の光センサ１３２及び第２の光センサ１３４との検知結果と、図８に示す正弦関数とからは、表示領域ＡＲ２における制御光Ｌの走査位置と、時間ｔとの関係を求めることができる。走査速度演算部５２２は、制御光Ｌの走査位置と、時間ｔとの関係から、Ｙ方向に並列している各画素を制御光Ｌが走査する時間を補間値として求める。Ｙ方向における画素の長さを、制御光Ｌが画素を走査する時間で除算すれば、各画素についての走査速度を求めることができる。このようにして、走査速度演算部５２２は、第１の光センサ１３２及び第２の光センサ１３４の検知結果に基づいて、各画素における走査速度を算出する。なお、図８に示すグラフは、走査速度を算出する説明のためのものであって、実際の表示装置１００における制御光Ｌの位置と時間との関係は図示と異なる場合もある。
【００６２】
補正値算出部５２４は、走査速度演算部５２２により算出された走査速度に基づいて、光量の補正値を算出する。補正値算出部５２４は、例えば、走査速度と比例させて光量の補正値を算出しても良く、走査速度に応じた光量の補正値を予め記憶しておくこととしても良い。メモリ５２６には、表示パネル１１０の発光光の光量の目標値が記憶されている。目標値は、メモリ５２６からの信号を補正値算出部５２４からの出力を加算することにより、走査速度に応じて補正される。メモリ５２６は、補正値算出部５２４からの出力を加算した後演算部５３０に信号Ｐ２を出力する。この出力信号Ｐ２によって、制御部１３０は、所定の画素について所望の階調レベルとなるように、画像信号ＰＳに応じて変調されている制御光Ｌの光量を、走査速度に基づいて補正する。
【００６３】
演算部５３０は、タイミング補正部５１０からの出力Ｐ１と、光量補正部５２０からの出力Ｐ２とに基づいて電流値を算出する。そして、演算部５３０は、演算結果を制御光用光学系駆動部１２５（図１参照）に出力する。このようにして、制御光用光源１２２は、制御部１３０によって、表示領域ＡＲ２に対応して正確な位置に制御光Ｌを走査し、かつ表示パネル１１０を正確な光量で表示するように制御される。
【００６４】
図９、図１０を用いて、制御部１３０による制御光用光源１２２の制御の具体例について説明する。図９は、図４に示す位置ｘ１における制御光用光源１２２の制御例を示す。制御部１３０は、制御光Ｌが表示領域ＡＲ２内を走査しているときにのみ、画像信号に応じて制御光用光源１２２を制御する。制御光用光源１２２は、制御光Ｌが表示領域ＡＲ２内を走査している時間ｔ１において、画像信号に応じた出力を行う。また、制御部１３０は、画像信号に応じて変調されている制御光Ｌの光量を、算出された走査速度に基づいて補正する。
【００６５】
制御部１３０は、第１の光センサ１３２及び第２の光センサ１３４の検知結果に基づいて、各画素における制御光Ｌの走査速度を算出する。制御光Ｌの走査速度は、Ｘ方向の位置ｘ１、及びＹ方向の位置に基づいて算出される。図９に示す制御光Ｌの走査速度のグラフは、算出された走査速度と時間ｔとの関係を示す。そして、図９に示すように、算出された走査速度に基づいて制御光Ｌの光量の補正値を算出する。図９に示す制御光Ｌの光量補正値のグラフは、算出された制御光Ｌの光量補正値と時間ｔとの関係を示す。ここで、制御部１３０は、位置ｘ１に隣り合う位置、例えば表示パネル１１０の領域外の位置ｘ０において第１の光センサ１３２及び第２の光センサ１３４の検知結果を求めることによって、位置ｘ１における制御光Ｌの光量の補正値を算出することができる。これと同様にして、例えば、位置ｘ２については、位置ｘ１における第１の光センサ１３２及び第２の光センサ１３４の検知結果に基づいて、制御光Ｌの光量の補正値を算出することができる。
【００６６】
制御部１３０は、制御光Ｌの光量の補正値に基づいて、制御光用光源１２２を制御する。制御光用光源１２２の出力値は、図９の破線で示す値から、実線で示す値へと補正される。制御用光源１２２は、位置ｘ１の表示領域ＡＲ２の両端部において、Ｘ方向の位置ｘ１に基づいて光量が大きくなるように制御される。また、制御用光源１２２は、表示領域ＡＲ２の中心部において、Ｙ方向の位置に基づいて、さらに光量が大きくなるように制御される。
【００６７】
図１０は、図４に示す位置ｘｎにおける制御光用光源１２２の制御例を示す。制御光用光源１２２は、制御光Ｌが表示領域ＡＲ２内を走査している時間ｔｎにおいて、画像信号に応じた出力を行う。また、制御光用光源１２２は、位置ｘ１における制御光Ｌと同様に、各画素における走査速度に基づいて出力が制御される。ここで、制御光用光源１２２の出力を、図９に示す位置ｘ１の場合と、図１０に示す位置ｘｎの場合とで比較する。位置ｘ１では、制御用光源１２２の出力は、表示領域ＡＲ２の両端部において光量が大きくなるように制御される。
【００６８】
これに対して、位置ｘｎでは、表示領域ＡＲ２の両端部において制御光光源１２２の出力は、Ｘ方向の位置に応じて光量を補正する前と比較してほとんど変化しない。また、位置ｘｎにおいても、表示領域ＡＲ２の中心部において光量が大きくなるように制御光用光源１２２が制御されることは、位置ｘ１と同様である。また、位置ｘｎを制御光Ｌが走査する間における制御光Ｌの光量の変化量は、位置ｘ１を走査する間の制御光Ｌの光量の変化量に比べて大きい。制御部１３０がこのようにして制御光用光源１２２を制御することにより、表示パネル１１０の所定の画素を所望の階調レベルで発光させることができる。
【００６９】
制御光用光源１２２は、表示領域ＡＲ２内のみに画像信号に応じて変調された制御光Ｌを供給する。この場合、走査領域ＡＲ３内に表示領域ＡＲ２があれば、走査領域ＡＲ３の形状と表示領域ＡＲ２の形状とが一致しなくても、表示パネル１１０の表示領域ＡＲ２のみに画像信号に応じて変調された制御光Ｌが供給される。制御光Ｌの走査領域ＡＲ３が台形となる場合であっても、略矩形の表示領域ＡＲ２の位置に制御光Ｌを供給することができる。略矩形の表示領域ＡＲ２の位置に制御光Ｌを供給して表示パネル１１０を正確に制御することにより、表示パネル１１０の表示領域ＡＲ２を正確に発光させることができる。
【００７０】
制御部１３０は、第１の光センサ１３２及び第２の光センサ１３４からの検知結果に基づいて、各画素を制御光Ｌが走査するタイミングと、画像信号のタイミングクロックとを合わせることができる。このようにして、制御光Ｌが表示領域ＡＲ２内を走査しているときにのみ画像信号に応じて制御光用光学系１２０を制御することができる。第１の光センサ１３２及び第２の光センサ１３４からの検知結果に基づいて画像信号のタイミングクロックを調整すればよいことから、例えば、ガルバノミラーが回動する角度範囲を調整する場合に比較して、容易に、表示領域ＡＲ２内に制御光Ｌを供給することができる。
【００７１】
制御部１３０は、画像信号に応じて変調されている制御光Ｌの光量を、算出された走査速度に基づいて補正する。制御光Ｌの走査速度が速い領域では、制御部１３０は、電流値を加算する補正を行う。電流値が加算されると、制御光用光源１２２は、画像信号に応じて変調されるより多い光量の制御光Ｌを供給する。制御光の光量を増加することにより、その画素の発光光を明るくして所望の階調レベルとすることができる。
【００７２】
また、制御光Ｌの走査速度が遅い領域では、制御部１３０は、電流値を減算する補正を行う。電流値が減算されると、制御光用光源１２２は、画像信号に応じて変調されるより少ない光量の制御光Ｌを供給する。制御光Ｌの光量を減少することにより、その画素の発光光の明るさを低減して所望の階調レベルとすることができる。このようにして、表示パネル１１０において、所定の画素の発光光を所望の階調レベルとする。所定の画素の発光光を所望の階調レベルとすると、画像信号に関係ない表示画像の明るさムラを低減し、画像信号に対応する正確な表示を行うことができる。これにより、光アドレッシングによる表示パネル１１０の制御を行う表示装置１００において、表示パネル１１０の表示領域ＡＲ２を正確に発光させ、かつ正確な光量で表示することができるという効果を奏する。
【００７３】
また、図９、図１０に示すように、表示パネル１１０の非表示領域ＡＲ１において、制御光用光源１２２は、制御光Ｌを画像信号に関係なく略一定の光量にできる。表示パネル１１０の非表示領域ＡＲ１に制御光Ｌを走査すると、第１の光センサ１３２及び第２の光センサ１３４に制御光Ｌを検出させることができる。また、非表示領域ＡＲ１において制御光Ｌの光量を略一定とすると、表示装置１００の稼動中において、一定の頻度で制御光Ｌの光量が略一定となる期間が設けられることとなる。このときの制御光Ｌの光量のモニタ及びフィードバックを行うことにより、制御光用光学系１２０からの制御光Ｌの出力量が一定となるようにコントロールすることもできる。
【００７４】
制御光Ｌの光量のモニタ及びフィードバックは、図５の回路に示す光量センサ５４１及びＡＰＣ(automatic power control）回路５４３により行われる。ＡＰＣ回路５４３は、光量センサ５４１からの信号に応じて、制御光用光源１２２の光の光量が略一定となるように制御光用光源１２２をコントロールする。ＡＰＣ回路５４３における演算結果は、演算部５３０の演算結果に加算、又は減算される。制御光用光源１２２は、演算部５３０からの出力と、ＡＰＣ回路５４３からの出力とに応じて制御される。なお、走査位置検知部である第１の光センサ１３２、第２の光センサ１３４の少なくとも一方を、光量センサ５４１として機能させることとしても良い。
【００７５】
（変形例）
図１１は、実施例１の変形例である表示装置１１００の概略構成を示す。上記の表示装置１００と同一の部分には同一の符号を付し、重複する説明は省略する。本変形例の表示装置１１００は、第１の光センサ１１３２と第２の光センサ１１３４とを有する点は、上記の表示装置１００と同様である。表示装置１００の第１の光センサ１３２と第２の光センサ１３４とは、上述のように、表示パネル１１０の非表示領域ＡＲ１に設けられている。これに対して、本変形例の表示装置１１００は、第１の光センサ１１３２と第２の光センサ１１３４とが、ガルバノミラー１２４と表示パネル１１０との間の制御光Ｌの光路上にあることを特徴とする。
【００７６】
図１２は、第１の光センサ１１３２及び第２の光センサ１１３４と、表示パネル１１０との位置を示す。第１の光センサ１１３２は、第２の方向であるＸ方向に略平行な表示領域ＡＲ２の辺ｍ１の近傍の非表示領域ＡＲ１に入射する制御光Ｌの光路上に設けられている。また、第２の光センサ１１３４は、辺ｍ１と対向する表示領域ＡＲ２の他の一辺ｍ２の近傍の非表示領域ＡＲ１に入射する制御光Ｌの光路上に設けられている。このように、第１の光センサ１１３２と第２の光センサ１１３４とを非表示領域ＡＲ１に入射する制御光Ｌの光路上に設けても、上記の表示装置１００の光センサ１３２と第２の光センサ１３４と同様にして、制御光Ｌが表示領域ＡＲ２を走査していることを検知することができる。
【実施例２】
【００７７】
図１３は、本発明の実施例２に係る表示装置１３００の概略構成を示す。上記実施例１の表示装置１００と同一の部分には同一の符号を付し、重複する説明は省略する。本実施例の表示装置１３００は、走査位置検知部である電圧検出用電極１３３１、１３３２と、電圧検出部１３３７、１３３８とを有することを特徴とする。
【００７８】
表示パネル１１０の非表示領域ＡＲ１には、第１の電圧検出用電極１３３１と、第２の電圧検出用電極１３３２が設けられている。第１、第２の電圧検出用電極１３３１、１３３２は、制御光用光学系１２０に対向する側とは反対側の、導電率可変層２０３（図２参照）に設置されている。また、上記実施例１の第１、第２の光センサ１３２、１３４と同様、第１、第２の電圧検出用電極１３３１、１３３２は、それぞれ、表示領域ＡＲ２の辺の近傍に対向するように設けられている。なお、本実施例では２つの電圧検出用電極１３３１、１３３２を設ける構成を示しているが、単独の電圧検出用電極を設ける構成であっても良い。
【００７９】
第１の電圧検出用電極１３３１とグラウンド電極１３３５との間には、抵抗１３３３が電気的に接続されている。また、抵抗１３３３の両端には、第１の電圧検出部１３３７が電気的に接続されている。第１の電圧検出部１３３７は、抵抗１３３３の両端の電圧を検出することによって、第１の電圧検出用電極１３３１に印加されている電圧を検出する。第２の電圧検出用電極１３３２とグラウンド電極１３３６との間には、抵抗１３３４が電気的に接続されている。また、抵抗１３３４の両端には、第２の電圧検出部１３３８が電気的に接続されている。第２の電圧検出部１３３８は、抵抗１３３４の両端の電圧を検出することによって、第２の電圧検出用電極１３３２に印加されている電圧を検出する。
【００８０】
次に、制御光用光源１２２を制御する構成について説明する。制御光Ｌは、図４に示す実施例１の表示パネル１１０と同様に、表示領域ＡＲ２と非表示領域ＡＲ１とを通過するような軌跡Ｓで、表示パネル１１０上を走査する。第１の電圧検出部１３３７は、第１の電圧検出用電極１３３１の電圧を検出することによって、第１の電圧検出用電極１３３１の位置に制御光Ｌが入射することを検知する。また、第２の電圧検出部１３３８は、第２の電圧検出用電極１３３２の電圧を検出することによって、第２の電圧検出用電極１３３２の位置に制御光Ｌが入射することを検知する。このような制御光Ｌの検知により、第１、第２の電圧検出部１３３７、１３３８は、上記実施例１の第１、第２の光センサ１３２、１３４（図１参照）と同様に、制御光Ｌが表示領域ＡＲ２を走査していることを検知する。この構成により、第１、第２電圧検出用電極１３３１、１３３２が設けられた非表示領域ＡＲ１の位置を走査する制御光Ｌを、正確に検出することができる。
【００８１】
そして、制御部１３３０は、上記実施例１の表示装置１００と同様に、第１、第２の電圧検出部１３３７、１３３８からの検知結果に基づいて、制御光Ｌが表示領域ＡＲ２内を走査しているときにのみ、画像信号に応じて制御光用光源１２２を制御する。また、制御部１３３０は、所定の画素について所望の階調レベルとなるように、画像信号に応じて変調されている制御光Ｌの光量を、算出された走査速度に基づいて補正する。各画素における制御光Ｌの走査速度は、第１、第２の電圧検出部１３３７、１３３８からの検知結果に基づいて算出される。これにより、光アドレッシングによる表示パネル１１０の制御を行う表示装置１００において、表示パネル１１０の表示領域ＡＲ２を正確に発光させ、かつ正確な光量で表示することができるという効果を奏する。
【００８２】
なお、制御光Ｌが非表示領域ＡＲ１を走査するときには、制御光Ｌは、画像信号に関係ない略一定の光量にできる。表示パネル１１０の非表示領域ＡＲ１に制御光Ｌを走査することにより、第１、第２の電圧検出部１３３７、１３３８は、第１、第２の電圧検出用電極１３３１、１３３２に印加されている電圧を検出することができる。これにより、第１、第２の電圧検出部１３３７、１３３８は、制御光Ｌが表示領域ＡＲ２内を走査していることを検知できる。さらに、制御光Ｌが非表示領域ＡＲ１を走査するときに制御光Ｌの光量を略一定とすると、制御光Ｌの光量のモニタ及びフィードバックを行うことができる。これにより、上記の実施例１の表示装置１００と同様に、制御部１３３０は、制御光用光源１２２からの制御光Ｌの出力量が一定となるようなコントロールを行うことができる。
【実施例３】
【００８３】
図１４は、本発明の実施例３に係る表示装置１４００の概略構成を示す。上記実施例１の表示装置１００と同一の部分には同一の符号を付し、重複する説明は省略する。本実施例の表示装置１４００は、表示パネルである変調部１４１０が、画像信号に応じて照明光を変調することを特徴とする。表示装置１４００は、固体発光素子である発光ダイオード素子（以下、適宜「ＬＥＤ」という。）を複数設けた照明光用光源部１４０１を有する。
【００８４】
照明光用光源部１４０１は、Ｒ光を供給するＲ光用ＬＥＤ１４０２Ｒと、Ｇ光を供給するＧ光用ＬＥＤ１４０２Ｇと、Ｂ光を供給するＢ光用ＬＥＤ１４０２Ｂとを有する。照明光用光源部１４０１から供給された照明光は、フィールドレンズ１４０３を透過した後、表示パネルである変調部１４１０に入射する。フィールドレンズ１４０３は、変調部１４１０をテレセントリックに照明する機能、即ち、照明光をできるだけ主光線に平行にして変調部１４１０に入射させる機能を有する。表示装置１４００は、照明光用光源部１４０１の像を投写レンズ１４０５の入射瞳１４０７の位置に結像する。このため、変調部１４１０は、照明光用光源部１４０１から供給される照明光によりケーラー照明される。
【００８５】
空間光変調装置１４２０は、変調部１４１０と、制御光用光学系１２０とからなる。変調部１４１０は、投写レンズ１４０５の側の表面に、駆動部である可動ミラー１４１１を複数有する。可動ミラー１４１１は、画像信号に応じて回動する。複数の可動ミラー１４１１は、変調部１４１０の投写レンズ１４０５側の平面上に、略直交する格子状に配列されている。変調部１４１０は、可動ミラー１４１１を画像信号に応じて回動させて照明光用光源部１４０１からの照明光を投写レンズ１４０５の方向、又は投写レンズ１４０５以外の方向に反射させる。
【００８６】
そして、変調部１４１０は、各可動ミラー１４１１で反射され、投写レンズ１４０５の入射瞳１４０７に入射させる光の光量を画像信号に応じて変化させることにより、階調を表現する。このようにして、変調部１４１０は、照明光用光源部１４０１からの照明光を、画像信号に応じて変調する。投写レンズ１４０５は、変調部１４１０で変調された光をスクリーン１４０６に投写する。なお、変調部１４１０は、複数の可動ミラー１４１１を配置している表示領域と、表示領域の外縁に設けられた非表示領域とを有する。投写像は、表示領域に設けられた複数の可動ミラー１４１１が画像信号に応じて照明光を変調することによって形成される。
【００８７】
次に、図１５を用いて、光制御可動ミラーデバイス１５１０の構成について説明する。光制御可動ミラーデバイス１５１０は、一つの可動ミラー１４１１を駆動するための構成である。光制御可動ミラーデバイス１５１０は、ＭＥＭＳ（Micro Electro Mechanical Systems）技術により作成することができる。絶縁層１５０４は、導電率可変層２０３上の略中央領域を除いた位置に、スパッタ技術により形成される。絶縁層１５０４には、例えばＳｉＯ2を用いることができる。絶縁層１５０４の上には、電極１５０５が設けられている。また、駆動用電極１５０６は、導電率可変層２０３の上に直接設けられている。電極１６０５と駆動用電極１５０６とは、導電性物質、例えばアルミニュウム（Ａｌ）で構成できる。
【００８８】
電源１４４０は、一方の電極を透明電極層２０２に、他方の電極を電極１５０５に接続している。これにより、電源１４４０は、透明電極層２０２と電極１５０５との間に所定電圧を印加する。電極１５０５の上には、可動ミラー１４１１と、可動ミラー１４１１を移動可能に支持する支持部１５０７とが形成されている。可動ミラー１４１１は、導電性物質、例えば、アルミニュウム（Ａｌ）で構成することができる。支持部１５０７は、導電性を有する可撓性部材、又は導電性を有する弾性部材（金属ばね等）である。支持部１５０７が導電性を有するため、支持部１５０７を介して可動ミラー１４１１と電極１５０５とは同電位である。
【００８９】
次に、制御光Ｌによる光制御可動ミラーデバイス１５１０の制御について説明する。制御光Ｌは、光制御可動ミラーデバイス１５１０に、基板２０１側から入射する。可動ミラー１４１１は、駆動用電極１５０６と、可動ミラー１４１１との間の電位差に応じた所定の力、例えば静電力（引力）Ｆにより駆動する。静電力Ｆの強度は、制御光Ｌの光量に対応して変化する。また、可動ミラー１４１１は、静電力Ｆの強度に対応する位置状態をとる。可動ミラー１４１１の位置状態を変化させることによって、上述のように、投写レンズ１４０５の入射瞳１４０７に入射させる光の光量を変化させることができる。従って、画像信号に応じて制御光Ｌの光量を変化することによって、アナログ信号に対応して連続的な変化量を表示することができる。変調部１４１０の各光制御可動ミラーデバイス１５１０は、光アドレッシングにより制御される。
【００９０】
次に、制御部１４３０が制御光用光源１２２を制御するための構成について説明する。
制御部１４３０は、上記実施例１の表示装置１００の制御部１３０（図１参照）と同様にして、複数の可動ミラー１４１１が設けられた変調部１４１０の表示領域内を制御光Ｌが走査しているときのみ画像信号に応じて制御光用光源１２２を制御する。また、制御部１４３０は、制御光Ｌの走査速度に基づいて、制御光用光源１２２からの制御光Ｌの光量を補正する。
【００９１】
変調部１４１０は、導電率可変層２０３の導電率に応じた電圧を印加することによって駆動する。このため、制御光Ｌの走査速度の変化により導電率が変化すると、制御光Ｌの走査速度の変化に対応して、光制御可動ミラーデバイス１４１０に印加される電圧も変化する。例えば、制御光Ｌの走査速度が大きくなると、導電率可変層２０３の導電率は小さくなる。導電率可変層２０３の導電率が小さくなると、駆動用電極１４０６に印加される電圧が小さくなる。
【００９２】
駆動用電極１４０６に印加される電圧が小さくなると、駆動用電極１４０６と可動ミラー１４１１との間の電位差が小さくなることから、静電力Ｆも小さくなる。このため、制御光Ｌの走査速度が大きくなると、可動ミラー１４１１が回動する移動量が小さくなる場合がある。これとは逆に、制御光Ｌの走査速度が小さくなると、可動ミラー１４１１が回動する移動量が大きくなる場合がある。このように、制御光Ｌの走査速度が変化することにより、画像信号に応じて可動ミラー１４１１を駆動することが困難となる場合がある。特に、表示装置１４００は、アナログ信号に対応して連続的な変化量を表示することから、電圧の変化によって投写光の光量が変化してしまう。
【００９３】
変調部１４１０は、上記実施例１の表示パネル１１０と同様に、走査位置検知部である第１の光センサ１３２と、第２の光センサ１３４とが設けられている。制御部１４３０は、上記の実施例１の表示装置１００の制御部１３０（図１参照）と同様に、画像信号に応じて変調されている制御光Ｌの光量を、算出された走査速度に基づいて補正する。例えば、制御部１４３０は、制御光Ｌの走査速度が大きい画素について、制御光Ｌの光量を増加させるように制御光用光源１２２の制御を行う。このような制御光Ｌの光量を補正するように制御光用光源１２２を制御することにより、画像信号に応じて正確に変調部１４１０を駆動することができる。画像信号に応じて正確に変調部１４１０を駆動することにより、画像信号に応じて正確に照明光を変調できる。
【００９４】
このように、制御部１４３０は、所定の画素について所望の階調レベルとなるように、画像信号に応じて変調されている制御光Ｌの光量を走査速度に基づいて補正する。これにより、光アドレッシングによる制御を行う表示装置１４００において、可動ミラー１４１１を正確に駆動することができるという効果を奏する。表示装置１４００のように、電圧によって連続的な変化量を表示する場合であっても、温度変化による光量の変化を低減し、正確な光量で画像を表示することができる。
【００９５】
なお、本実施例の表示装置１４００は、駆動部として可動ミラー１４１１を設ける構成としているが、可動ミラー１４１１を設ける構成に限られない。電圧によって駆動可能な駆動部を設けるものであれば、本発明に適用することができる。例えば、駆動部として液晶層を用いる表示装置であっても良い。駆動部として液晶層を用いる場合、表示装置は、液晶層を駆動することによって照明光を透過させる構成と、照明光を反射させる構成とのいずれも用いることができる。また、表示装置１４００の照明光用光源部としては、ＬＥＤに限らず半導体レーザ素子や、エレクトロ・ルミネッセント（ＥＬ）素子等の他の固体発光素子や、固体発光素子以外のランプ等を用いることができる。
【産業上の利用可能性】
【００９６】
以上のように、本発明に係る表示装置は、プレゼンテーションや動画を表示する場合に有用である。
【図面の簡単な説明】
【００９７】
【図１】本発明の実施例１に係る表示装置の上面構成図。
【図２】ガルバノミラーと表示パネルとの位置の説明図。
【図３】表示パネルの説明図。
【図４】表示領域、非表示領域、走査領域の説明図。
【図５】表示装置の回路図。
【図６】制御光用光源の出力と第１、第２の光センサの出力との説明図。
【図７】制御光用光源の出力と第１、第２の光センサの出力との説明図。
【図８】走査速度の算出についての説明図。
【図９】制御部による制御光用光源の制御例の説明図。
【図１０】制御部による制御光用光源の制御例の説明図。
【図１１】実施例１の変形例に係る表示装置の概略構成図。
【図１２】第１、第２の光センサと表示パネルとの位置の説明図。
【図１３】本発明の実施例２に係る表示装置の概略構成図。
【図１４】本発明の実施例３に係る表示装置の概略構成図。
【図１５】光制御可動ミラーデバイスの構成図。
【符号の説明】
【００９８】
１００  表示装置、１１０  表示パネル、１２０  制御光用光学系、１２２  制御光用光源、１２４  ガルバノミラー、１２５  制御光用光学系駆動部、１３０  制御部、１３２  第１の光センサ、１３４  第２の光センサ、１４０  電源、２０１  基板、２０２  第１の透明電極層、２０３  導電率可変層、２０４  有機ＥＬ層、２０５  第２の透明電極層、２０６  保護層、５１０  タイミング補正部、５１２  クロック生成部、５１４  クロック合成部、５２０  光量補正部、５２２  走査速度演算部、５２４  補正値算出部、５２６  メモリ、５３０  演算部、５４１  光量センサ、５４３  ＡＰＣ回路、１１００  表示装置、１１３２  第１の光センサ、１１３４  第２の光センサ、１３００  表示装置、１３３０  制御部、１３３１  第１の電圧検出用電極、１３３２  第２の電圧検出用電極、１３３３、１３３４  抵抗、１３３５、１３３６  グラウンド電極、１３３７  第１の電圧検出部、１３３８  第２の電圧検出部、１４００  表示装置、１４０１  照明光用光源部、１４０２Ｒ  Ｒ光用ＬＥＤ、１４０２Ｇ  Ｇ光用ＬＥＤ、１４０２Ｂ  Ｂ光用ＬＥＤ、１４０３  フィールドレンズ、１４０５  投写レンズ、１４０６  スクリーン、１４０６  駆動用電極、１４０７  入射瞳、１４１０  変調部、１４１１  可動ミラー、１４２０  空間光変調装置、１４３０  制御部、１４４０  電源、１５０４  絶縁層、１５０５  電極、１５０６  駆動用電極、１５０７  支持部、１５１０  光制御可動ミラーデバイス、ＡＲ１  非表示領域、ＡＲ２  表示領域、Ｌ  制御光、θ  あおり角、Ｎ  法線、ＡＲ３  走査領域、Ｓ  軌跡、ｍ１、ｍ２  辺、ｘ１、ｘｎ  位置、ＰＳ  画像信号、Ｐ１、Ｐ２  出力、ｔ１、ｔｎ  時間、Ｆ  静電力
【図１】
2005181831.tif 000003
【図２】
2005181831.tif 000004
【図３】
2005181831.tif 000005
【図４】
2005181831.tif 000006
【図５】
2005181831.tif 000007
【図６】
2005181831.tif 000008
【図７】
2005181831.tif 000009
【図８】
2005181831.tif 000010
【図９】
2005181831.tif 000011
【図１０】
2005181831.tif 000012
【図１１】
2005181831.tif 000013
【図１２】
2005181831.tif 000014
【図１３】
2005181831.tif 000015
【図１４】
2005181831.tif 000016
【図１５】
2005181831.tif 000017